(57)【要約】【課題】建物開口部のサッシ枠に軒端設備類を取り付けるための取付機構を、板状の金属材からなる簡単な構成の第１及び第２固定部材の締結用ネジによる固定で、簡単、確実、安全な作業で取り付け可能にする。【解決手段】建物開口部のサッシ枠２における縦枠３間に軒端設備類を取り付ける固定部材５を、板状の金属材からなる第１及び第２固定部材１０，２０により構成する。第１固定部材は、サッシ枠の縦枠の上部における見付け部端３ａを弾性的に挟持するクリップ部１１と、該クリップ部から建物開口部の外方側に伸びる板状固定部１２とを備える。第２固定部材は、第１固定部材の板状固定部に接面する姿勢を変えた位置で締結用ネジ２６ａ等で固定可能にした固定面２１と、該固定面に折曲部２３を介して連設された軒端設備類の支持台部２２とを備え、複数の支持台部間に軒端設備類を取り付け可能にする。【選択図】図３
2019163615.tif 000002
【特許請求の範囲】
【請求項１】
建物開口部に設置したサッシ枠における複数の縦枠間に軒端設備類を取り付けるための少なくとも一対の固定部材が、それぞれ、板状の金属材からなる第１固定部材及び第２固定部材によって構成され、
上記第１固定部材は、上記サッシ枠における縦枠の上部における見付け部端を弾性的に挟持するクリップ部を備えると共に、該クリップ部から上記建物開口部の外方側に伸びる板状固定部を備え、
一方、上記第２固定部材は、上記第１固定部材の板状固定部に接面し、その接面姿勢を変えた位置で複数の締結用ネジにより回転不能にネジ固定可能にした固定面と、該固定面に折曲部を介して連設された軒端設備類の支持台部とを備えている、
ことを特徴とするサッシ枠に対する軒端設備類の取付機構。
【請求項２】
上記第２固定部材の固定面が、上記第１固定部材の板状固定部に対して、少なくとも任意に上下動した位置で複数の締結用ネジによりネジ固定可能に形成されると共に、該第２固定部材が、上記サッシ枠の縦枠における建物開口部の外方側上端縁に係止する鈎部を備え、
該第２固定部材を、サッシ枠の縦枠の上端縁よりも上方から下降させることにより、上記鈎部がサッシ枠の縦枠における上端縁に係止して、その位置で第１固定部材にネジ固定可能に形成されている、
ことを特徴とする請求項１に記載のサッシ枠に対する軒端設備類の取付機構。
【請求項３】
上記第１固定部材の板状固定部と上記第２固定部材の固定面とのいずれか一方に、複数のネジ螺挿穴を設けてその他方とネジ固定する締結用ネジをそれぞれ螺挿し、該締結用ネジのそれぞれを、該締結用ネジを螺挿していない他方の固定面或いは板状固定部に設けたサッシ枠における縦枠の長手方向に延びる複数の長穴のそれぞれに挿通して、該締結用ネジを上記長穴に沿って移動させることにより、上記第２固定部材の固定面を上記サッシ枠の縦枠に沿って上下動するものとし、また、上記長穴には、それに沿って第２固定部材の固定面がサッシ枠における縦枠の上端側に達したときに、該第２固定部材の固定面をサッシ枠の外方側に傾斜させるための弧状溝を連設していて、上記第２固定部材の固定面を該サッシ枠の外方側に傾斜させて上記締結用ネジにより締結可能に形成している、
ことを特徴とする請求項１又は２に記載のサッシ枠に対する軒端設備類の取付機構。
【請求項４】
上記第２固定部材の固定面に二つのネジ螺挿穴を設けて、それらに上記第１固定部材の板状固定部とネジ固定する締結用ネジをそれぞれ螺挿し、該締結用ネジのそれぞれを、上記第１固定部材の板状固定部に穿設したところの、上記サッシ枠の縦枠の長手方向に延びる二つの長穴に挿通して、上記第２固定部材の固定面を、それらの締結用ネジが第１固定部材の二つの長穴に沿って移動できる範囲内において移動可能に保持させ、且つ上記第１固定部材の板状固定部における上記サッシ枠の縦枠の上端側に穿設した長穴の上端部には、該上端部に達した締結用ネジを上記サッシ枠の外方側に移動させる弧状溝を連設し、第２固定部材を該サッシ枠の外方側に傾斜させて上記締結用ネジにより締結可能に形成している、
ことを特徴とする請求項２又は３に記載のサッシ枠に対する軒端設備類の取付機構。
【請求項５】
上記第２固定部材を、支持される軒端設備類の下部に沿って延びる片持ち梁状の支持部が、上記固定面に一体化されたものとして構成している、
ことを特徴とする請求項２に記載のサッシ枠に対する軒端設備類の取付機構。
【請求項６】
少なくともサッシ枠の一対の縦枠のそれぞれに取り付けた第２固定部材における支持台部間に、上記軒端設備としての庇を取り付けている、
ことを特徴とする請求項１〜５のいずれかに記載のサッシ枠に対する軒端設備類の取付機構。
【発明の詳細な説明】
【技術分野】
【０００１】
本発明は、建物開口部に設置したサッシ枠に、庇や日除け部材等の軒端設備類を取り付けるための取付機構に関するものである。
【背景技術】
【０００２】
従来から、建物開口部に設置したサッシ枠等に対して軒端設備類の取り付けを行う手段としては、多種多様のものが知られ、或いは実施されている。しかしながら、その取付機構としては、例えば、特許文献１に開示されているように、サッシ枠の室外側にスクリーン装置等を取り付けるにしても、その取り付けに必要な部材の構成が非常に複雑でコストが掛かるだけでなく、取付作業も熟練者でなければ安易に行うことが困難であるのが通例である。
【先行技術文献】
【特許文献】
【０００３】
【特許文献１】特開２０１４−２１４５６８号公報
【発明の概要】
【発明が解決しようとする課題】
【０００４】
本発明の技術的課題は、建物開口部のサッシ枠に軒端設備類を取り付けるための取付機構を、板状の金属材からなる簡単な構成の第１固定部材及び第２固定部材の締結用ネジによる固定で、簡単、確実に作業をできるものとし、また、建物開口部のサッシ枠から極端に身を乗り出したりすることなく、室内側から安全に取り付け作業を行うことを可能にした取付機構を提供することにある。
【課題を解決するための手段】
【０００５】
上記課題を解決するため、本発明によれば、建物開口部に設置したサッシ枠における複数の縦枠間に軒端設備類を取り付けるための少なくとも一対の固定部材が、それぞれ、板状の金属材からなる第１固定部材及び第２固定部材によって構成され、上記第１固定部材は、上記サッシ枠における縦枠の上部における見付け部端を弾性的に挟持するクリップ部を備えると共に、該クリップ部から上記建物開口部の外方側に伸びる板状固定部を備え、一方、上記第２固定部材は、上記第１固定部材の板状固定部に接面し、その接面姿勢を変えた位置で複数の締結用ネジにより回転不能にネジ固定可能にした固定面と、該固定面に折曲部を介して連設された軒端設備類の支持台部とを備えていることを特徴とするサッシ枠に対する軒端設備類の取付機構が提供される。
【０００６】
本発明に係る上記軒端設備類の取付機構の好ましい実施形態においては、上記第２固定部材の固定面が、上記第１固定部材の板状固定部に対して、少なくとも任意に上下動した位置で複数の締結用ネジによりネジ固定可能に形成されると共に、該第２固定部材が、上記サッシ枠の縦枠における建物開口部の外方側上端縁に係止する鈎部を備え、該第２固定部材を、サッシ枠の縦枠の上端縁よりも上方から下降させることにより、上記鈎部がサッシ枠の縦枠における上端縁に係止して、その位置で第１固定部材にネジ固定可能に形成される。
上記実施形態においては、上記第２固定部材を、支持される軒端設備類の下部に沿って延びる片持ち梁状の支持部が、上記固定面に一体化されたものとして構成することができる。
【０００７】
また、本発明に係る上記軒端設備類の取付機構の好ましい実施形態においては、上記第１固定部材の板状固定部と上記第２固定部材の固定面とのいずれか一方に、複数のネジ螺挿穴を設けてその他方とネジ固定する締結用ネジをそれぞれ螺挿し、該締結用ネジのそれぞれを、該締結用ネジを螺挿していない他方の固定面或いは板状固定部に設けたサッシ枠における縦枠の長手方向に延びる複数の長穴のそれぞれに挿通して、該締結用ネジを上記長穴に沿って移動させることにより、上記第２固定部材の固定面を上記サッシ枠の縦枠に沿って上下動するものとし、また、上記長穴には、それに沿って第２固定部材の固定面がサッシ枠における縦枠の上端側に達したときに、該第２固定部材の固定面をサッシ枠の外方側に傾斜させるための弧状溝を連設していて、上記第２固定部材の固定面を該サッシ枠の外方側に傾斜させて上記締結用ネジにより締結可能に形成される。
【０００８】
本発明に係る上記上記軒端設備類の取付機構の好ましい実施形態においては、上記第２固定部材の固定面に二つのネジ螺挿穴を設けて、それらに上記第１固定部材の板状固定部とネジ固定する締結用ネジをそれぞれ螺挿し、該締結用ネジのそれぞれを、上記第１固定部材の板状固定部に穿設したところの、上記サッシ枠の縦枠の長手方向に延びる二つの長穴に挿通して、上記第２固定部材の固定面を、それらの締結用ネジが第１固定部材の二つの長穴に沿って移動できる範囲内において移動可能に保持させ、且つ上記第１固定部材の板状固定部における上記サッシ枠の縦枠の上端側に穿設した長穴の上端部には、該上端部に達した締結用ネジを上記サッシ枠の外方側に移動させる弧状溝を連設し、第２固定部材を該サッシ枠の外方側に傾斜させて上記締結用ネジにより締結可能に形成される。
【０００９】
更に、本発明に係る上記軒端設備類の取付機構の他の好ましい実施形態においては、少なくともサッシ枠の一対の縦枠のそれぞれに取り付けた第２固定部材における支持台部間に、上記軒端設備としての庇を取り付けたものとして構成される。
【発明の効果】
【００１０】
以上に詳述した本発明のサッシ枠に対する軒端設備類の取付機構によれば、建物開口部のサッシ枠に軒端設備類を取り付けるための取付機構を、板状の金属材からなる簡単な構成の第１固定部材及び第２固定部材の締結用ネジによる固定で、簡単、確実に作業をすることができ、また、第１固定部材及び第２固定部材の締結用ネジによる固定は、サッシ枠の縦枠の周囲で行うことができるので、建物開口部のサッシ枠から極端に身を乗り出したりすることなく、室内側から安全に取り付け作業を行うことが可能になる。
【図面の簡単な説明】
【００１１】
【図１】本発明に係る軒端設備類の取付機構の第１実施例により建物開口部のサッシ枠に対して庇を取り付けた状態を示す縦断面図である。
【図２】同上の横断平面図である。
【図３】本発明に係る軒端設備類の取付機構を構成する第１固定部材及び第２固定部材の組み付け状態を図１の左下側から見た要部斜視図である。
【図４】上記第１固定部材の構成を示し、（ａ）は正面図、（ｂ）はその右側面図、（ｃ）は平面図である。
【図５】上記第２固定部材の構成を示し、（ａ）は正面図、（ｂ）はその右側面図、（ｃ）は平面図である。
【図６】（ａ）は上記第１固定部材及び第２固定部材をサッシ枠に対して安定的に組み付けた状態、（ｂ）は上記（ａ）の状態から第１固定部材と第２固定部材とのネジ固定を弛めて、第２固定部材を回転中心ネジの廻りで回転する上限位置まで上動させた状態、（ｃ）は第２固定部材を設置しようとする軒端設備類の傾斜位置まで傾動させて、それを第１固定部材にネジ固定した状態を示す動作説明図である。
【図７】図６の（ａ）と同様の状態にある軒端設備類の取付機構の第２実施例を示す縦断面図である。
【発明を実施するための形態】
【００１２】
図１及び図２は、本発明に係る軒端設備類の取付機構の第１実施例である図３の固定部材５の複数対を、建物開口部１に設置したところの縦枠３及び横枠４を結合してなるサッシ枠２に対して取り付け、それらによって、上記軒端設備類の一例として示している庇３０を、上記サッシ枠２に取り付けた状態を示している。
本発明の第１実施例における上述の固定部材５は、板状の金属材からなる第１固定部材１０及び同じく第２固定部材２０を、以下に詳述するように結合したものである。
【００１３】
上記第１固定部材１０及び第２固定部材２０を結合することにより構成される固定部材５は、建物開口部のサッシ枠２における左右一対の縦枠３，３間に軒端設備類を取り付けるために、図１〜図３から分かるように少なくともそれらの一対が用いられ、その場合には、一対の固定部材５，５として、図３に示すように、同構造で対称形状をなすようにした第１固定部材１０及び第２固定部材２０が用いられるが、更に多くの固定部材５を用いて軒端設備類をサッシ枠２に取り付ける場合には、対称形状をなすものが用いられるとは限らない。
【００１４】
上記第１固定部材１０及び第２固定部材２０の構成について具体的に説明すると、それらは板状の金属材の打ち抜き或いは折曲等による簡単な加工で形成されたもので、まず、その第１固定部材１０は、図３及び図４の（ａ）〜（ｃ）から分かるように、上記サッシ枠２における縦枠３の上部における見付け部端３ａを弾性的に挟持するクリップ部１１を備えると共に、該クリップ部１１から折曲部１３を介して上記建物開口部１の外方側に伸びるように形成した板状固定部１２を備えたものである。上記クリップ部１１は、そのクリップ長さをある程度長くすることにより縦枠３との結合強度を高めることができ、しかも、サッシ枠２からの軒端設備類の撤去後に縦枠３等に取付傷を残すのを防止することができる。
【００１５】
また、上記第２固定部材２０は、図３及び図５の（ａ）〜（ｃ）から分かるように、上記第１固定部材１０の板状固定部１２に接面し、その接面姿勢を変えて後述する複数の締結用ネジ２６ａ，２６ｂにより該板状固定部に回転不能にネジ固定するようにした固定面２１と、該固定面２１に折曲部２３を介して連設された軒端設備類の支持台部２２とを備えたものである。そして、図２及び図３のように配設した少なくとも一対の第２固定部材２０の支持台部２２間に、図１に示すように、固定用ネジ２２ａによって上記軒端設備類の一例である庇３０等を連結可能に構成している。
【００１６】
前記第１固定部材１０の板状固定部１２に対して、上記第２固定部材２０の固定面２１を、それらの接面姿勢を変えて連結可能にするために、該第２固定部材２０の固定面２１には、図５の（ａ）に示しているように、二つのネジ螺挿穴２４ａ，２４ｂを設け、図１及び図３に示すように、それらに上記第１固定部材１０の板状固定部１２とネジ固定する締結用ネジ２６ａ，２６ｂをそれぞれ螺挿するように構成している。なお、該締結用ネジ２６ａ，２６ｂを螺挿する上記ネジ螺挿穴２４ａ，２４ｂは、図示しているように、第２固定部材２０の固定面２１の背面側にそれぞれナット２７ａ，２７ｂを配設する構成でよいのは勿論である。
【００１７】
一方、上記第１固定部材１０の板状固定部１２には、図３及び図４の（ａ）に示すように、同一軸線上で上記サッシ枠２の縦枠３の長手方向に延びる二つの長穴１４ａ，１４ｂを穿設し、上記第１固定部材１０の板状固定部１２に設けたところのネジ螺挿穴２４ａ，２４ｂに螺挿した締結用ネジ２６ａ，２６ｂのそれぞれを、該二つの長穴１４ａ，１４ｂに挿通して、上記第２固定部材２０の固定面２１を、それらの締結用ネジが第１固定部材の二つの長穴に沿って移動できる範囲内において移動可能に保持させ、必要な位置において上記締結用ネジ２６ａ，２６ｂを緊締することにより、所望の位置において第２固定部材２０の固定面２１を第１固定部材１０の板状固定部１２に固定できるようにしている。
【００１８】
また、上記第１固定部材１０の板状固定部１２における上記サッシ枠２の縦枠３の上端側に穿設した長穴１４ｂの上端部には、該上端部に達した締結用ネジ２６ｂを、上記長穴１４ａに挿通した締結用ネジ２６ａの廻りで回転させて、上記サッシ枠２の外方側に移動させるための弧状溝１４ｃを連設し、第２固定部材２０の固定面２１を該サッシ枠２の外方側に傾斜させて、上記締結用ネジ２６ａ，２６ｂにより締結可能に形成している。
【００１９】
更に、上記第２固定部材２０には、上記サッシ枠２の縦枠３における建物開口部の外方側上端縁３ｂに係止する鈎部２５を備え、該鈎部２５は、第２固定部材２０に螺挿した締結用ネジ２６ａ，２６ｂが、第１固定部材１０の板状固定部１２に穿設した長穴１４ａ，１４ｂの上端から該長穴に沿って下降したときに、上記第２固定部材２０の鈎部２５がサッシ枠２の縦枠３における上端縁３ｂに係止するように形成している。
【００２０】
図６の（ａ）〜（ｃ）は、上記第２固定部材２０の第１固定部材１０に対する移動の態様を示すもので、同図の（ａ）は、上記第２固定部材２０に螺挿した締結用ネジ２６ａ，２６ｂを板状固定部１２の長穴１４ａ，１４ｂの上端側から下降させ、第２固定部材２０に設けた鈎部２５をサッシ枠２における縦枠３の上端縁３ｂに係止させて、該第２固定部材２０をサッシ枠２に対して安定的に組み付けた状態を、また、同図の（ｂ）は、第２固定部材２０を上限位置まで上動させた状態を、更に、同図の（ｃ）は、第２固定部材２０を設置しようとする軒端設備類の傾斜位置まで傾動させて、それを第１固定部材１０にネジ固定した状態を示すものである。
【００２１】
図１，３〜５等に示しているように、上記第１固定部材１０の板状固定部１２に弧状溝１４ｃを含む長穴１４ａ，１４ｂを設け、一方、上記第２固定部材２０の固定面２１に複数のネジ螺挿穴２４ａ，２４ｂを設けて締結用ネジ２６ａ，２６ｂを螺挿し、これらによって上記板状固定部１２と固定面２１とを所望の接面姿勢で該締結用ネジ２６ａ，２６ｂにより固定するようにした構成は、板状固定部１２と固定面２１とを、図６を参照して先に説明した接面姿勢のそれぞれにおいて固定可能にする構成の望ましい一例である。しかしながら、同様の接面姿勢で板状固定部１２と固定面２１とを固定可能にする構成は、例えば、上記長穴１４ａ，１４ｂを第２固定部材２０の固定面２１に設け、また上記ネジ螺挿穴２４ａ，２４ｂを第１固定部材１０の板状固定部１２に設けても実現することができる。
【００２２】
つまり、上記板状固定部１２と上記固定面２１とのいずれか一方に、複数のネジ螺挿穴２４ａ，２４ｂを設けて締結用ネジ２６ａ，２６ｂをそれぞれ螺挿し、該締結用ネジのそれぞれを他方の固定面２１或いは板状固定部１２に設けた縦枠３の長手方向に延びる複数の長穴１４ａ，１４ｂのそれぞれに挿通して、該締結用ネジを上記長穴に沿って移動させることにより、上記固定面２１をサッシ枠の縦枠３に沿って上下動するものとし、また、上記長穴１４ａ，１４ｂには、それに沿って固定面２１がサッシ枠における縦枠３の上端側に達したときに、該固定面２１をサッシ枠２の外方側に傾斜させるための弧状溝１４ｃを連設して、上記固定面２１を該サッシ枠の外方側に傾斜させ、上記締結用ネジ２６ａ，２６ｂによりその位置に固定面２１を締結可能にすればよい。
【００２３】
また、図７は、本発明に係る軒端設備類の取付機構の第２実施例により、図１及び図２の例とは異なる他の形態の庇３１をサッシ枠２に取り付ける態様を示している。この第２実施例における庇３１は、夏の昼間の日差しや雨がサッシ枠２側に向かうのを避ける角度で取り付けたがらり状の羽板３１ａを枠材に並設し、冬の降雪時における庇３１上への多量の積雪をも避けるようにしたものである。
【００２４】
更に、該庇３１を支持する第２固定部材２０Ａは、支持される庇３１等の軒端設備類の下部に沿って延びる片持ち梁状の支持部２１ｂが、上記第１実施例の固定面２１と同じ形態の固定面２１ａに一体化されたものとして構成している。このような第２実施例の構成は、上記第２固定部材２０Ａが前述の鈎部２５を備えると共に、上記支持部２１ｂを備えているので、比較的重量のある軒端設備類の取り付けに特に有効なものである。
【００２５】
以上に詳述した本発明に係る軒端設備類の取付機構によれば、建物開口部１のサッシ枠２に庇等の軒端設備類を取り付けるための取付機構を、板状の金属材からなる簡単な構成の第１固定部材１０及び第２固定部材２０，２０Ａの締結用ネジ２６ａ，２６ｂによる固定で、簡単、確実に作業をすることができ、また、該第１固定部材１０及び第２固定部材２０の締結用ネジ２６ａ，２６ｂによる固定は、サッシ枠２の縦枠３の周囲で行うことができるので、建物開口部のサッシ枠２から極端に身を乗り出したりすることなく、室内側から安全に取り付け作業を行うことができる。
【符号の説明】
【００２６】
１      建物開口部
２      サッシ枠
３      縦枠
３ａ    見付け部端
５      固定部材
１０      第１固定部材
１１      クリップ部
１２      板状固定部
１３      折曲部
２０      第２固定部材
２１      固定面
２２      支持台部
２６ａ，２６ｂ      締結用ネジ
【図１】
2019163615.tif 000003
【図２】
2019163615.tif 000004
【図３】
2019163615.tif 000005
【図４】
2019163615.tif 000006
【図５】
2019163615.tif 000007
【図６】
2019163615.tif 000008
【図７】
2019163615.tif 000009